(57)【要約】 【課題】ユーザの利便性を向上させる。【解決手段】本発明に係る画像処理装置は、認証状態検出部と記憶部と決定部とを備える。認証状態検出部は、ユーザの認証状態を検出する。記憶部は、ユーザが認証されていない状態を示す第１の認証状態、および、ユーザが認証されている状態を示す第２の認証状態の各々に対して、許可する操作を対応付けた対応情報を記憶する。決定部は、認証状態検出部により検出されたユーザの認証状態と対応情報とに基づいて、許可する操作を決定する。【選択図】図５
2016060065.tif 000002
【特許請求の範囲】
【請求項１】
ユーザの認証状態を検出する認証状態検出部と、
ユーザが認証されていない状態を示す第１の認証状態、および、ユーザが認証されている状態を示す第２の認証状態の各々に対して、許可する操作を対応付けた対応情報を記憶する記憶部と、
前記認証状態検出部により検出されたユーザの認証状態と前記対応情報とに基づいて、許可する操作を決定する決定部と、を備える、
画像処理装置。
【請求項２】
前記決定部は、前記認証状態検出部により検出されたユーザの認証状態が前記第１の認証状態の場合は、許可する操作として、前記第１の認証状態に対応付けられた許可する操作を決定し、前記認証状態検出部により検出されたユーザの認証状態が前記第２の認証状態の場合は、許可する操作として、前記第２の認証状態に対応付けられた許可する操作を決定する、
請求項１に記載の画像処理装置。
【請求項３】
前記対応情報は、前記第１の認証状態および前記第２の認証状態の各々に対して、許可する操作と、許可しない操作とを対応付けた情報であり、
前記決定部は、
前記認証状態検出部により検出されたユーザの認証状態が前記第１の認証状態の場合は、許可する操作として、前記第１の認証状態に対応付けられた許可する操作を決定するとともに、許可しない操作として、前記第１の認証状態に対応付けられた許可しない操作を決定し、
前記認証状態検出部により検出されたユーザの認証状態が前記第２の認証状態の場合は、許可する操作として、前記第２の認証状態に対応付けられた許可する操作を決定するとともに、許可しない操作として、前記第２の認証状態に対応付けられた許可しない操作を決定する、
請求項２に記載の画像処理装置。
【請求項４】
前記認証状態検出部により検出されたユーザの認証状態で許可される操作に対応する操作キーを表示し、前記認証状態検出部により検出されたユーザの認証状態で許可されない操作に対応する操作キーを表示しない制御を行う第１の表示制御部をさらに備える、
請求項３に記載の画像処理装置。
【請求項５】
ユーザを認証するか否かを決定する認証処理を実行中の場合は、その旨を示す第１の画像を表示する制御を行い、前記認証処理が終了した場合は、前記第１の画像を非表示とする制御を行い、前記認証処理によりユーザが認証された場合は、その旨を示す第２の画像を表示する制御を行う第２の表示制御部をさらに備える、
請求項１乃至４のうちの何れか１項に記載の画像処理装置。
【請求項６】
ユーザの操作に応じて、前記対応情報を可変に設定する制御を行う設定制御部をさらに備える、
請求項１乃至５のうちの何れか１項に記載の画像処理装置。
【請求項７】
ユーザの認証状態を検出する認証状態検出ステップと、
前記認証状態検出ステップにより検出されたユーザの認証状態と、ユーザが認証されていない状態を示す第１の認証状態、および、ユーザが認証されている状態を示す第２の認証状態の各々に対して、許可する操作を対応付けた対応情報とに基づいて、許可する操作を決定する決定ステップと、を含む、
画像処理方法。
【請求項８】
コンピュータに、
ユーザの認証状態を検出する認証状態検出ステップと、
前記認証状態検出ステップにより検出されたユーザの認証状態と、ユーザが認証されていない状態を示す第１の認証状態、および、ユーザが認証されている状態を示す第２の認証状態の各々に対して、許可する操作を対応付けた対応情報とに基づいて、許可する操作を決定する決定ステップと、を実行させるためのプログラム。
【発明の詳細な説明】
【技術分野】
【０００１】
本発明は、画像処理装置、画像処理方法およびプログラムに関する。
【背景技術】
【０００２】
従来、印刷物の取り忘れなどによる情報漏洩を防止するために個人認証機能を有する画像形成装置が知られている。例えば特許文献１には、認証条件を満たさない限り認証用画面から画像形成装置の使用画面に移行させないようにすることで、利用制限をかける技術が開示されている。
【発明の概要】
【発明が解決しようとする課題】
【０００３】
しかしながら、従来技術では、認証処理中は機器の操作が許可されないため、認証処理開始から完了までの間、ユーザは何の操作も行うことができず、待ち時間が発生することになる。これにより、ユーザの利便性を損なうという問題があった。
【課題を解決するための手段】
【０００４】
上述した課題を解決し、目的を達成するために、本発明は、ユーザの認証状態を検出する認証状態検出部と、ユーザが認証されていない状態を示す第１の認証状態、および、ユーザが認証されている状態を示す第２の認証状態の各々に対して、許可する操作を対応付けた対応情報を記憶する記憶部と、前記認証状態検出部により検出されたユーザの認証状態と前記対応情報とに基づいて、許可する操作を決定する決定部と、を備える画像処理装置である。
【発明の効果】
【０００５】
本発明によれば、認証処理中でも特定の操作を行うことができるので、ユーザの利便性が向上する。
【図面の簡単な説明】
【０００６】
【図１】図１は、ＭＦＰのハードウェア構成の一例を示す図である。
【図２】図２は、ＣＰＵの機能構成の一例を示す図である。
【図３】図３は、認証管理部の構成の一例を示す図である。
【図４】図４は、認証完了画面の一例を示す図である。
【図５】図５は、画面表示制御部の構成の一例を示す図である。
【図６】図６は、対応情報の一例を示す図である。
【図７】図７は、設定画面の一例を示す図である。
【図８】図８は、ＭＦＰの動作手順の一例を示すシーケンス図である。
【図９】図９は、認証管理部の動作手順の一例を示すシーケンス図である。
【図１０】図１０は、設定制御部の動作手順の一例を示すシーケンス図である。
【発明を実施するための形態】
【０００７】
以下、添付図面を参照しながら、本発明に係る画像処理装置、画像処理方法およびプログラムの実施形態を詳細に説明する。以下では、本発明に係る画像処理装置を、複合機（ＭＦＰ：Multifunction  Peripheral）に適用した場合を例に挙げて説明するが、これに限定されるものではない。なお、複合機とは、コピー機能、スキャナ機能、プリント機能、ＦＡＸ機能などの複数の異なる機能を有する装置である。
【０００８】
図１は、本実施形態のＭＦＰ１００のハードウェア構成の一例を示す図である。以下の説明では、図１に例示した各構成要素を区別しない場合は「ブロック」と称する場合がある。図１に示すように、ＭＦＰ１００は、コピー機能、スキャナ機能における画像の入力手段として、スキャナエンジン５を有する。
【０００９】
また、ＭＦＰ１００は、プリント機能における画像の入力手段として、外部ホスト機器１１からの印刷データを受信するホストＩ／Ｆ（インターフェース）制御部１２を有する。なお、Ｉ／Ｆの種類としては、ＩＥＥＥ１２８４、ＵＳＢ等のローカル接続や有線、無線によるイーサネット（登録商標）等のネットワーク接続などが挙げられる。
【００１０】
前述のスキャナエンジン５は、ＦＡＸ機能におけるＦＡＸ送信時の画像入力手段としても機能する。また、外部ホスト機器１１からもデータ入力可能である。ＦＡＸ受信時は、一般公衆回線に接続されたＮＣＵ（ネットワークコントロールユニット）９を介してＦＡＸ制御部１０により印刷データとしてデータの復号化等が行われる。
【００１１】
また、ＭＦＰ１００は、印刷出力手段として、プリンタエンジン１９を有する。プリンタエンジン１９は、印刷制御部２２から渡される印刷データに基づく印刷を行う。プリンタエンジン１９の作像方式としては、レーザー方式、ＬＥＤ方式、インクジェット方式などが挙げられる。
【００１２】
また、ＭＦＰ１００は、ユーザの各種操作を受け付けるとともにユーザに提示する画面を表示する操作部１６を有する。操作部１６は、機器操作のためのボタンや機器状態表示のためのインジケーター（ＬＥＤやＬＣＤ等の表示器、スピーカー等）などの機器操作者とのマンマシンインターフェース部であり、操作部Ｉ／Ｆ制御部１７を介して情報の入出力を行う。
【００１３】
また、ＭＦＰ１００は、ＲＦタグから情報を読み取るＲＦＩＤ検出部２３を有する。ＲＦＩＤ検出部２３は、検出範囲内のＲＦタグから情報を読み取り、読み取った情報を他のブロックへ転送する。この例では、ＭＦＰ１００を使用するユーザは、ユーザを識別するためのユーザ情報が書き込まれたＲＦタグを装着している。この例では、ユーザ情報は、ユーザＩＤとパスワードとの組み合わせで構成されるが、これに限られるものではない。
【００１４】
その他、ＭＦＰ１００は、ＭＦＰ１００の動作を統括的に制御するＣＰＵ１を有し、ＣＰＵ１が実行するプログラムはＲＯＭ２に格納されている。システムによっては、複数のＣＰＵを搭載することで処理性能を向上させるシステムもある。また、ＭＦＰ１００はＲＡＭ３を有する。ＲＡＭ３は揮発性メモリであり、ＲＡＭ制御部４を介してＣＰＵ１をはじめ各ブロックによる処理の作業領域（データを一時的に保存する領域）として活用される。また、ＭＦＰ１００は、ＮＶＲＡＭ２１を有する。ＮＶＲＡＭ２１は不揮発性メモリであり、機器固有の情報（各種パラメータ等）や機器の使用状況を示す情報を保持することができる。
【００１５】
図２は、ＣＰＵ１の機能構成の一例を示す図である。説明の便宜上、図２では、本発明に関する機能を例示しているが、ＣＰＵ１が有する機能は、これらに限られるものではない。図２に示すように、ＣＰＵ１は、電源制御部１０１、認証管理部１０２、ユーザ情報管理部１０３、画面表示制御部１０４、設定制御部１０５を有している。この例では、電源制御部１０１、認証管理部１０２、ユーザ情報管理部１０３、画面表示制御部１０４および設定制御部１０５の各々の機能は、ＣＰＵ１がＲＯＭ２等に格納されたプログラムを実行することにより実現されるが、これに限らず、例えば電源制御部１０１、認証管理部１０２、ユーザ情報管理部１０３、画面表示制御部１０４および設定制御部１０５のうちの少なくとも一部が専用のハードウェア回路（半導体集積回路等）で実現されてもよい。
【００１６】
電源制御部１０１は、各ブロックに対する電力供給を制御する。認証管理部１０２は、ＭＦＰ１００を使用するユーザの認証状態を管理する。図３は、認証管理部１０２の詳細な構成の一例を示す図である。図３に示すように、認証管理部１０２は、認証処理部１０７と第２の表示制御部１０８とを有する。
【００１７】
認証処理部１０７は、ＲＦＩＤ検出部２３により取得されたユーザ情報と、予め登録されたユーザ情報とが一致する場合は、ユーザ（ＲＦＩＤ検出部２３により取得されたユーザ情報が書き込まれたＲＦタグを所持するユーザ）を認証し、一致しない場合は該ユーザを認証しない認証処理を実行する。また、この例では、認証処理部１０７は、ユーザの認証状態を後述の画面表示制御部１０４へ通知する機能も有している。この例では、認証状態として、ユーザが認証されていない状態を示すログアウトモードと、ユーザが認証された状態を示すログインモードとがある。この例では、ログアウトモードは請求項の「第１の認証状態」に対応し、ログインモードは請求項の「第２の認証状態」に対応していると考えることができる。
【００１８】
第２の表示制御部１０８は、ユーザを認証するか否かを決定する認証処理を実行中の場合は、その旨を示す第１の画像を表示する制御を行い、認証処理が終了した場合は、第１の画像を非表示とする制御を行い、認証処理によりユーザが認証された場合は、その旨を示す第２の画像を表示する制御を行う。図４は、第２の画像の一例を示す図である。以下の説明では、第２の画像を、「認証完了画面」と称する場合がある。
【００１９】
図２に戻って説明を続ける。ユーザ情報管理部１０３は、ユーザごとのユーザ情報（この例ではユーザＩＤとパスワードの組み合わせ）を管理する。
【００２０】
画面表示制御部１０４は、認証状態に応じて画面の表示内容を制御する。図５は、画面表示制御部１０４の詳細な構成の一例を示す図である。図５に示すように、画面表示制御部１０４は、認証状態検出部１１１と、記憶部１１２と、決定部１１３と、第１の表示制御部１１４とを有する。
【００２１】
認証状態検出部１１１は、ＭＦＰ１００を使用するユーザの認証状態を検出する。例えば認証状態検出部１１１は、認証管理部１０２からの通知に基づいて、ユーザの認証状態を検出することもできる（ログアウトモードであるかログインモードであるのかを検出することができる）し、必要に応じて認証管理部１０２に問い合わせることで、ユーザの認証状態を検出することもできる。
【００２２】
記憶部１１２は、ログアウトモード（第１の認証状態）およびログインモード（第２の認証状態）の各々に対して、許可する操作を対応付けた対応情報を記憶する。本実施形態における対応情報は、第１の認証状態（この例ではログアウトモード）および第２の認証状態（この例ではログインモード）の各々に対して、許可する操作と、許可しない操作とを対応付けた情報である。この例では、対応情報は、許可する操作を特定可能な操作可能情報と、許可しない操作を特定可能な操作不能情報とを対応付けた情報である。
【００２３】
図６は、本実施形態における対応情報の一例を示す図である。図６の例では、対応情報は、ログアウトモードおよびログインモードの各々に対して、許可しない操作に対応する操作キーを示す操作不能キー情報（キーＩＤ）と、許可する操作に対応する操作キーを示す操作可能キー情報（キーＩＤ）とを対応付けた情報であるが、これに限られるものではない。例えば対応情報は、ログアウトモードおよびログインモードの各々に対して、操作可能キー情報のみを対応付けた情報であってもよい。なお、ログアウトモードおよびログインモードの各々に対応付けられる操作可能キー情報および操作不能キー情報は、機器構成によって異なるものとなる。
【００２４】
図５に戻って説明を続ける。決定部１１３は、認証状態検出部１１１により検出された認証状態と対応情報とに基づいて、許可する操作を決定する。より具体的には、決定部１１３は、認証状態検出部１１１により検出されたユーザの認証状態が第１の認証状態（この例ではログアウトモード）の場合は、許可する操作として、第１の認証状態に対応付けられた許可する操作を決定し、認証状態検出部１１１により検出されたユーザの認証状態が第２の認証状態（この例ではログインモード）の場合は、許可する操作として、第２の認証状態に対応付けられた許可する操作を決定する。さらに言えば、上述したように、本実施形態における対応情報は、第１の認証状態および第２の認証状態の各々に対して、許可する操作と、許可しない操作とを対応付けた情報であり、決定部１１３は、認証状態検出部１１１により検出されたユーザの認証状態が第１の認証状態の場合は、許可する操作として、第１の認証状態に対応付けられた許可する操作を決定するとともに、許可しない操作として、第１の認証状態に対応付けられた許可しない操作を決定する。また、決定部１１３は、認証状態検出部１１１により検出されたユーザの認証状態が第２の認証状態の場合は、許可する操作として、第２の認証状態に対応付けられた許可する操作を決定するとともに、許可しない操作として、第２の認証状態に対応付けられた許可しない操作を決定する。
【００２５】
本実施形態では、決定部１１３は、認証状態検出部１１１により検出されたユーザの認証状態がログアウトモードの場合は、ログアウトモードに対応付けられた操作可能キー情報により特定される操作を、許可する操作として決定するとともに、ログアウトモードに対応付けられた操作不能キー情報により特定される操作を、許可しない操作として決定する。また、決定部１１３は、認証状態検出部１１１により検出されたユーザの認証状態がログインモードの場合は、ログインモードに対応付けられた操作可能キー情報により特定される操作を、許可する操作として決定するとともに、ログインモードに対応付けられた操作不能キー情報により特定される操作を、許可しない操作として決定する。
【００２６】
第１の表示制御部１１４は、認証状態検出部１１１により検出されたユーザの認証状態で許可される操作に対応する操作キーを表示し、認証状態検出部１１１により検出されたユーザの認証状態で許可されない操作に対応する操作キーを表示しない制御を行う。図６の例において、コピー機能に関する操作に対応する操作キーの表示制御を例に挙げて説明する。いま、認証状態検出部１１１により検出されたユーザの認証状態がログアウトモードである場合、前述したように、決定部１１３は、後処理設定キーに対応する後処理設定操作、変倍キーに対応する変倍操作、読み取り設定キーに対応する読み取り設定操作、印刷設定キーに対応する印刷設定操作、編集キーに対応する編集操作を、許可する操作として決定し、スタートキーに対応するスタート操作（コピーの実行開始を指示する操作）を、許可しない操作として決定する。そして、第１の表示制御部１１４は、後処理設定キー、変倍キー、読み取り設定キー、印刷設定キーおよび編集キーを操作部１６に表示する制御を行い、スタートキーを操作部１６に表示しない（マスク表示する）制御を行う。以上が、画面表示制御部１０４の内容である。
【００２７】
図２に戻って説明を続ける。設定制御部１０５は、ユーザの操作に応じて、対応情報を可変に設定する制御を行う。本実施形態では、設定制御部１０５は、操作部１６に表示される設定画面で受け付けたユーザの操作に応じて、対応情報を変更する制御を行う。図７は、設定画面の一例を示す図であり、ユーザは、ログアウトモードおよびログインモードの各々に対応付けられた１以上の操作不能キー情報のそれぞれを選択するためのチェックボックスに対して、チェックマーク（この例では、説明の便宜上、「●」を採用しているが、これに限られるものではない）を入力する操作を行う。設定制御部１０５は、チェックマークが入力されたチェックボックスに対応する操作不能キー情報を、ログアウトモードまたはログインモードに対応付けて対応情報を設定する制御を行う。なお、設定画面は、図７の例に限られるものではない。例えばログアウトモードおよびログインモードの各々に対応付けられた１以上の操作可能キー情報のそれぞれを選択するためのチェックボックスが設けられる形態であってもよいし、ログアウトおよびログインモードの各々に対応付けられた１以上の操作不能キー情報および１以上の操作可能キー情報のそれぞれを選択するためのチェックボックスが設けられる形態であってもよい。
【００２８】
次に、図８を用いて、本実施形態のＭＦＰ１００の動作手順の一例を説明する。ここで、ＭＦＰ１００は、ＭＦＰ１００に対する電力供給が開始された直後においてはログアウトモードとなる。また、ＭＦＰ１００は、ログインモードにおいて機能を実行しない状態が一定期間継続した場合、または、ログインモードを解除するためのボタンを押下する操作を受け付けた場合、ログアウトモードに移行する。また、この例では、ＭＦＰ１００は、消費電力量の低減のため、機能を実行しない状態が一定期間継続した場合、または、省エネモードに移行するためのボタンを押下する操作を受け付けた場合、機能を実行可能な通常モードよりも消費電力が小さい省エネモードに移行する。そして、この例では、ＲＦＩＤ検出部２３が、検出範囲内のＲＦタグからユーザ情報を取得したことが、省エネモードを解除する条件（通常モードへ復帰する条件）の一つとなっている。
【００２９】
図８は、ＭＦＰ１００が省エネモードであり、かつ、ログアウトモードのときに、ＲＦＩＤ検出部２３が、検出範囲内のＲＦタグからユーザ情報を取得した場合の動作手順の一例を示すシーケンス図である。図８に示すように、まずＲＦＩＤ検出部２３が、検出範囲内のＲＦタグからユーザ情報を取得する（ステップＳ１）。次に、ＲＦＩＤ検出部２３は、電源制御部１０１に対して、省エネモードを解除することを要求する（ステップＳ２）。この要求を受けた電源制御部１０１は、スキャナエンジン５、プリンタエンジン１９などのデバイスに対する電力の供給を開始する（ステップＳ３）。また、電源制御部１０１は、操作部１６に対する電力の供給を開始するとともに、操作部１６に対してバックライトの点灯を指示する（ステップＳ４）。この例では、電源制御部１０１は、省電力モードにおいては、デバイスおよび操作部１６に対する電力の供給を停止している。
【００３０】
また、ＲＦＩＤ検出部２３は、認証管理部１０２に対して、取得したユーザ情報を通知する（ステップＳ５）。以下、電源制御部１０１と認証管理部１０２は並行に動作する。ＲＦＩＤ検出部２３からユーザ情報の通知を受けた認証管理部１０２は、上述の認証処理を開始するとともに（ステップＳ６）、ユーザの認証状態がログアウトモードであることを画面表示制御部１０４へ通知する（ステップＳ７）。
【００３１】
また、電源制御部１０１は、上述のステップＳ３およびステップＳ４の後、画面表示制御部１０４に対して画面表示の要求を行う（ステップＳ８）。この要求を受けた画面表示制御部１０４の決定部１１３は、認証状態検出部１１１により検出されたユーザの認証状態と対応情報とに基づいて、許可する操作および許可しない操作を決定する（ステップＳ９）。この決定方法は上述したとおりである。図７の例では、上述のステップＳ７において、画面表示制御部１０４の認証状態検出部１１１は、ユーザの認証状態がログアウトモードであることを認証管理部１０２から通知されており、ユーザの認証状態がログインモードであることは未だ通知されていない。そのため、ここでは、画面表示制御部１０４の認証状態検出部１１１は、現在のユーザの認証状態がログアウトモードであることを検出し、画面表示制御部１０４の決定部１１３は、ログアウトモードに対応付けられた操作可能キー情報により特定される操作を、許可する操作として決定するとともに、ログアウトモードに対応付けられた操作不能キー情報により特定される操作を、許可しない操作として決定する。なお、画面表示制御部１０４は、必要に応じて、ユーザの認証状態を認証管理部１０２に問い合わせて、ユーザの認証状態を検出することもできる。
【００３２】
次に、画面表示制御部１０４は、現在のユーザの認証状態で許可される操作に対応する操作キーを操作部１６に表示し、現在のユーザの認証状態で許可されない操作に対応する操作キーを操作部１６に表示しない制御を行う（ステップＳ１０）。図７の例では、画面表示制御部１０４は、現在のユーザの認証状態であるログアウトモードに対応付けられた操作可能キー情報が示す操作キーを操作部１６に表示し、ログアウトモードに対応付けられた操作不能キー情報が示す操作キーを操作部１６に表示しない制御を行う。
【００３３】
以上の画面表示制御部１０４の動作と並行して、認証管理部１０２は、上述の認証処理を実行する。より具体的には、認証管理部１０２は、予め登録されたユーザ情報をユーザ情報管理部１０３から取得し（ステップＳ１１）、上述のステップＳ５においてＲＦＩＤ検出部２３から通知されたユーザ情報と、ステップＳ１１で取得したユーザ情報とが一致するか否かを判断する（ステップＳ１２）。説明の便宜上、ここでは、一致する場合（ユーザを認証した場合）を例に挙げて説明する。ステップＳ１２の後、認証管理部１０２は、現在のユーザの認証状態がログインモードであることを画面表示制御部１０４へ通知する（ステップＳ１３）。この通知を受けた画面表示制御部１０４は、現在のユーザの認証状態がログインモードであることを検出し、ログインモードに対応付けられた操作可能キー情報により特定される操作を、許可する操作として決定するとともに、ログインモードに対応付けられた操作不能キー情報により特定される操作を、許可しない操作として決定する（ステップＳ１４）。そして、画面表示制御部１０４は、ログインモードに対応付けられた操作可能キー情報が示す操作キーを操作部１６に表示し、ログインモードに対応付けられた操作不能キー情報が示す操作キーを操作部１６に表示しない制御を行う（ステップＳ１５）。
【００３４】
次に、図９を用いて、認証管理部１０２（第２の表示制御部１０８）の動作手順の一例を説明する。図８と共通する部分については適宜に説明を省略する。図９のステップＳ２１およびステップＳ２２の処理内容は、図８のステップＳ１およびステップＳ２の処理内容と同様である。また、図９のステップＳ２３〜ステップＳ２５の処理内容は、図８のステップＳ４〜ステップＳ６の処理内容と同様である。
【００３５】
認証管理部１０２は、認証処理を実行中の場合は、その旨を示す第１の画像を表示する制御を行う（ステップＳ２６）。そして、認証管理部１０２は、認証処理が終了した場合は、第１の画像を非表示とする制御を行う（ステップＳ２７）。認証処理によりユーザが認証された場合は、認証管理部１０２は、上述の認証完了画面を表示する制御を行う（ステップＳ２８）。
【００３６】
次に、図１０を用いて、設定制御部１０５の動作手順の一例を説明する。図８と共通する部分については適宜に説明を省略する。図１０に示すように、まずユーザは、操作部１６に表示された上述の設定画面（図７参照）に対して、対応情報を変更するための操作（この例では、チェックマークを入力するためのタッチ操作）を行う（ステップＳ３１）。この操作を受け付けた操作部１６は、設定制御部１０５に対して、設定画面のうちユーザがタッチした座標の位置を示す情報や、ユーザがタッチした（チェックマークを入力した）チェックボックスに対応する操作不能キー情報などを含むタッチ情報を通知する（ステップＳ３２）。設定制御部１０５は、通知されたタッチ情報に基づいて、対応情報の変更内容を決定する。そして、画面表示制御部１０４に対して、決定した変更内容に従って対応情報を変更することを指示する（ステップＳ３３）。画面表示制御部１０４は、設定制御部１０５の指示に従って、記憶部１１２に記憶されている対応情報を変更する（ステップＳ３４）。
【００３７】
以上に説明したように、本実施形態では、ユーザの認証状態と、ログアウトモードおよびログインモードの各々に対して、許可する操作を特定可能な操作可能キー情報を対応付けた対応情報とに基づいて、許可する操作を決定する。すなわち、未だユーザが認証されていないログアウトモードにおいても、当該ログアウトモードに対応付けられた操作可能キー情報により特定される操作が許可されるので、ユーザは、認証処理が終了するまで待つことなく、ログアウトモードで許可される操作を行うことができる。これにより、ユーザの利便性を向上させることができる。
【００３８】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【００３９】
また、上述した実施形態のＭＦＰ１００で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００４０】
１００  ＭＦＰ
１０１  電源制御部
１０２  認証管理部
１０３  ユーザ情報管理部
１０４  画面表示制御部
１０５  設定制御部
１０７  認証処理部
１０８  第２の表示制御部
１１１  認証状態検出部
１１２  記憶部
１１３  決定部
１１４  第１の表示制御部
【先行技術文献】
【特許文献】
【００４１】
【特許文献１】特開２００４−２４９７２２号公報
【図１】
2016060065.tif 000003
【図２】
2016060065.tif 000004
【図３】
2016060065.tif 000005
【図４】
2016060065.tif 000006
【図５】
2016060065.tif 000007
【図６】
2016060065.tif 000008
【図７】
2016060065.tif 000009
【図８】
2016060065.tif 000010
【図９】
2016060065.tif 000011
【図１０】
2016060065.tif 000012